(57)【要約】【課題】  レンズ１８に付着する埃を低減する。  【解決手段】  光学ディスク５０を挿入するための挿入口１６と、挿入口１６から挿入された光学ディスク５０を載せて回転するためのターンテーブル１３と、ターンテーブル１３に載せられてターンテーブル１３と共に回転する光学ディスク５０に記憶されたデータを読み取る光ピックアップ部１５とを備えた光学ディスクドライブ１０が、ターンテーブル１３に取り付けられ、ターンテーブル１３の回転と共に回るファン１〜３と、ファンファン１〜３が回ることによって発生する気流を当該光学ディスクドライブ１０の外に通じさせるための通風口１９とを備える。【選択図】 図１
2006065951.tif 000002
【特許請求の範囲】
【請求項１】
光学ディスクを挿入するための挿入口（１６）と、
前記挿入口から挿入された光学ディスクを載せて回転するためのターンテーブル（１３）と、
前記ターンテーブルに載せられて前記ターンテーブルと共に回転する光学ディスク（５０）に記憶されたデータを読み取る光ピックアップ部（１５）とを備えた光学ディスクドライブであって、
前記ターンテーブルに取り付けられ、前記ターンテーブルの回転と共に回るファン（１〜４、３１〜３４、４１〜４４、５１〜５８、６１〜６８）と、
前記ファンが回ることによって発生する気流を当該光学ディスクドライブ内外に通じさせるための通気口（１９）と、を備えた光学ディスクドライブ。
【請求項２】
前記ファンと前記光ピックアップ部は、前記ターンテーブルに載った光学ディスクの同じ側に設けられ、
前記通気口は、前記ターンテーブルに載った光学ディスクから見て前記ファンと同じ側に、前記光学ディスクの内周部と対面して設けられていることを特徴とする請求項１に記載の光学ディスクドライブ。
【発明の詳細な説明】
【技術分野】
【０００１】
本発明は、ＤＶＤ、ＣＤ等の光学ディスクに記録されたデータを読み取るための光学ディスクドライブに関する。
【背景技術】
【０００２】
従来、上記のような光学ディスクドライブが広く利用されている。図９に、従来の光学ディスクドライブの一部分の側面透過図を示す。光学ディスクドライブ２０は、図示しない挿入口２１から挿入された光学ディスク２２をターンテーブル２３上に載せ、その光学ディスク２２を上から固定用チャック２９でターンテーブル２３に押さえつける。そして、モータ２４が図中の一点鎖線で示す回転軸の回りにターンテーブル２３を回転させる。このターンテーブル２３の回転に伴って光学ディスク２２が回転する。そして、光ピックアップ部２５が、光学ディスク２２にレーザー光を照射し、その照射によって光学ディスク２２が反射した光をレンズ２６で検出することで、光学ディスク２２に記録されたデータの読み取りが行われる。
【発明の開示】
【発明が解決しようとする課題】
【０００３】
このような光学ディスクドライブ２０においては、光学ディスク２２が回転することで発生する気流によって挿入口２１等から埃（図中の丸印に相当する）が入ることは避けられない。また、光学ディスクドライブ２０の内部の気流は、光学ディスク２２外周側の方が内周側よりも強くなっている。そのため、矢印２７、２８のような経路で一端内周側に入り込んでしまった埃等は、内周部にたまりやすくなっている。このようにたまった埃等がレンズ２６に付着すると、光ピックアップ部２５の光学特性が低下し、光学ディスク２２に記録されている情報を正確に読み取ることができなくなるおそれがある。
【０００４】
特に、車載用ナビゲーション装置に搭載される光学ディスクドライブは、一般の家庭用プレーヤやパソコン用ドライブとは異なり、光学ディスクが常に光学ディスクドライブ内に入った状態で使用され、通常１年以上は光学ディスクが入れわらない。しかも、車載用の光学ディスクドライブは、一般の室内には存在しない排気ガスや粉塵等にさらされる。このように、車載用の光学ディスクドライブは、通常よりも使用環境が非常に悪いといえる。
【０００５】
本発明は上記点に鑑み、光学ディスクドライブ内に埃がたまりにくくするための新規な構成を提供することを目的とする。
【課題を解決するための手段】
【０００６】
上記目的を達成するための請求項１に記載の発明は、光学ディスクを挿入するための挿入口（１６）と、前記挿入口から挿入された光学ディスクを載せて回転するためのターンテーブル（１３）と、前記ターンテーブルに載せられて前記ターンテーブルと共に回転する光学ディスク（５０）に記憶されたデータを読み取る光ピックアップ部（１５）とを備えた光学ディスクドライブであって、前記ターンテーブルに取り付けられ、前記ターンテーブルの回転と共に回るファン（１〜４、３１〜３４、４１〜４４、５１〜５８、６１〜６８）と、前記ファンが回ることによって発生する気流を当該光学ディスクドライブ内外に通じさせるための通気口（１９）と、を備えた光学ディスクドライブである。
【０００７】
このようになっているので、ファンが回ることで、光学ディスクドライブ内により強い気流が発生し、さらにその気流は光学ディスクドライブ内外に通じているので、光学ディスクドライブ内に埃がたまりにくくなる。また、上記ファンは、ターンテーブルに取り付けられ、ターンテーブルと共に回転するようになっているので、ターンテーブルの駆動機構以外にファンの駆動機構を別途も受ける必要がなくなる。
【０００８】
また、請求項２に記載の発明は、請求項１に記載の光学ディスクドライブにおいて、前記ファンと前記光ピックアップ部は、前記ターンテーブルに載った光学ディスクの同じ側に設けられ、前記通気口は、前記ターンテーブルに載った光学ディスクから見て前記ファンと同じ側に、前記光学ディスクの内周部と対面して設けられていることを特徴とする。
【０００９】
このようになっているので、通気口は、ターンテーブルに載った光学ディスクの、ファンと光ピックアップ部がある側に設けられ、さらに、その光学ディスクの内周部と対面しているので、光学ディスクのピックアップ側の内周部に埃がたまりにくい。
【００１０】
なお、上記の括弧内の数字は、本発明の光学ディスクドライブの構成要素と、後述する実施形態における具体的構成要素との対応関係を示すものである。
【発明を実施するための最良の形態】
【００１１】
（第１実施形態）
以下、本発明の第１実施形態について説明する。図１に、本実施形態に係る光学ディスクドライブ１０の側面透過図を示す。この光学ディスクドライブ１０は、例えば車両用ナビゲーション装置の光学ディスクドライブとして用いることができる。この光学ディスクドライブ１０は、筐体１１、固定用チャック１２、ターンテーブル１３、モータ１４、光ピックアップ部１５、およびファン１〜４等を有する。
【００１２】
筐体１１は、金属および樹脂から成り、光学ディスク５０を光学ディスクドライブ２０外部から挿入するための挿入口１６を側面に有し、さらに、下面に通風口１９を有している。これら挿入口１６および通風口１９を介して、光学ディスクドライブ２０の内部と外部とが通じるようになっている。
【００１３】
固定用チャック１２は、挿入口１６から光学ディスク５０が挿入されると、上から光学ディスク５０をターンテーブル１３に押しつける周知の部材である。
【００１４】
ターンテーブル１３は、円盤形状を有し、その円盤の上面に、上記の通り挿入された光学ディスク５０の中央部が固定用チャック１２によって押しつけられて載置されるようになっている。
【００１５】
モータ１４は、ターンテーブル１３の下面に配置され、外部から電力の供給を受けることで、モータ軸１７を図中の一点鎖線によって示される回転軸の回りに回転させる。そして、このモータ軸１７がターンテーブル１３の円盤の中心に固定されている。
【００１６】
光ピックアップ部１５は、レンズ１８を有し、ターンテーブル１３の上面に置かれた光学ディスク５０にレーザー光を照射し、その照射によって光学ディスク５０が反射した光をレンズ１８で検出することで、光学ディスク５０に記録されたデータの読み取りを行う装置である。
【００１７】
また、ターンテーブル１３の外周側面には、ファン１〜４が固定されている。このファン１〜４は、扇形の板状の樹脂等から成り、その板面は水平面（すなわちターンテーブル１３の光学ディスク５０が載る面、以下同様）に対して傾くように配置されている。図２に、ファン１〜４およびターンテーブル１３の上面図を示す。この図に示すように、通風口１９とファン１〜４およびターンテーブル１３とは上下に対面するような配置となっている。したがって、挿入された光学ディスク５０の内周部と通風口１９とも対面するようになっている。
【００１８】
このような光学ディスクドライブ１０において、光学ディスク５０が挿入された状態でモータ１４のモータ軸１７が回転すると、モータ軸１７に固定されたターンテーブル１３が回転し、このターンテーブル１３に押しつけられた光学ディスク５０も回転する。
【００１９】
このとき、ターンテーブル１３に固定されたファン１〜４もターンテーブル１３と同期して回転軸の回りを回る。このようにファン１〜４が回ることで、光学ディスクドライブ１０内部に強い気流が発生する。その気流は、矢印９１〜９４に示すように、光学ディスク５０の外周から、光学ディスク５０の、ファン１〜４、ターンテーブル１３、光ピックアップ部１５、および通風口１９がある側の内周に入りこみ、ファン１〜４を通って通風口１９に出るような流れとなっている。なおこのとき、挿入口１６からは、外気が流入する。
【００２０】
このようになっているので、ターンテーブル１３の回転と共にファン１〜４が回ることで、光学ディスクドライブ１０内に、ファン１〜４がない場合にくらべて強い気流が発生し、さらにその気流は通風口１９および挿入口１６を介して光学ディスクドライブ１０の外部と通るので、光学ディスクドライブ１０内に埃がたまりにくくなる。したがって、レンズ１８に埃が付着する可能性が低減される。
【００２１】
また、ファン１〜４は、ターンテーブル１３の側面周囲に取り付けられ、ターンテーブル１３と共に回転するようになっているので、ターンテーブル１３の駆動機構としてのモータ１４以外にファン１〜４の駆動機構を別途も受ける必要がない。
【００２２】
また、通気口１９は、ターンテーブル１３に載った光学ディスク５０の、ファン１〜４とレンズ１８がある側に設けられ、さらに、光学ディスク５０の内周部と対面した位置にあるので、光学ディスク５０の光ピックアップ部１５側の内周部に埃がたまりにくくなり、ひいては、レンズ１８に埃が付着する可能性がより低減される。
【００２３】
なお、気流の向きは、矢印９１〜９４と逆方向となっていてもよい。この場合は、通風口１９から外部の空気が流入し、挿入口１６から光学ディスクドライブ１０内の空気が外部に流出する。この場合においても、光学ディスクドライブ２０内に埃がたまりにくく、レンズ１８に埃が付着する可能性が低減される。すなわち、ファン１〜４が回ることにより発生する気流を光学ディスクドライブ１０内外に通じさせるようになっていれば、その気流の向きはどのようになっていてもよい。
（第２実施形態）
次に、本発明の第２実施形態について説明する。本実施形態が第１実施形態と異なるのは、ファンのターンテーブル１３への取り付け角度である。図３および図４に、本実施形態におけるターンテーブル１３とターンテーブル１３に取り付けられたファン３１〜３４の上面図と側面図を示す。図１および図４からわかるように、ファン３１〜３４は、ファン１〜４よりもその板面の水平面に対する傾斜が大きくなっている。このように、ファンのターンテーブル１３に対する傾斜角は、光学ディスクドライブ１０内外に通じる気流が発生するようになっていれば、どのようになっていてもよい。
（第３実施形態）
次に、本発明の第３実施形態について説明する。本実施形態が第２実施形態と異なるのは、上から見たファンの形状である。図５および図６に、本実施形態におけるターンテーブル１３およびファン４１〜４４の上面図および側面図を示す。この図に示す通り、第１実施形態のファン１〜４が上から見て扇形になっているのに対し、本実施家板のファン４１〜４４は、上からみて長方形となっている。
（第４実施形態）
次に、本発明の第４実施形態について説明する。本実施形態が第１実施形態と異なるのは、ファンの形状である。図７に本実施形態におけるターンテーブル１３およびファン５１〜５８の上面図を示す。この図に示す通り、本実施形態のファン５１〜５７は、それぞれの先端がかぎ型に曲がっている。また、これらのファン５１〜５８の板面は、第１〜第３実施形態のように斜めに傾いてターンテーブル１３に取り付けられておらず、水平面に対してほぼ垂直に取り付けられている。
（第５実施形態）
次に、本発明の第３実施形態について説明する。本実施形態が第４実施形態と異なるのは、上から見たファンの形状である。図８に本実施形態におけるターンテーブル１３およびファンファン６１〜６８の上面図を示す。この図に示す通り、本実施形態のファン５１〜５８は、それぞれ三日月形に曲がっている。また、これらのファン５１〜５８の板面は、は、第１〜第３実施形態のように斜めに傾いてターンテーブル１３に取り付けられておらず、水平面に対してほぼ垂直に取り付けられている。
【００２４】
なお、上記の各実施形態において、ターンテーブル１３に取り付けられるファンの数はいくつでもよい。
【００２５】
また、ファンは必ずしもターンテーブル１３の側面に取り付けられている必要はない。例えばターンテーブル１３の下面に取り付けられていてもよい。
【図面の簡単な説明】
【００２６】
【図１】本発明の第１実施形態における光学ディスクドライブ１０の側面透過図である。
【図２】第１実施形態におけるファン１〜４およびターンテーブル１３の上面図である。
【図３】第２実施形態におけるファン３１〜３４およびターンテーブル１３の上面図である。
【図４】第２実施形態におけるファン３１〜３４およびターンテーブル１３の側面図である。
【図５】第３実施形態におけるファン４１〜４４およびターンテーブル１３の上面図である。
【図６】第３実施形態におけるファン４１〜４４およびターンテーブル１３の側面図である。
【図７】第４実施形態におけるファン５１〜５８およびターンテーブル１３の上面図である。
【図８】第５実施形態におけるファン６１〜６８およびターンテーブル１３の上面図である。
【図９】従来の光学ディスクドライブ２０の側面透過図である。
【符号の説明】
【００２７】
１〜４、３１〜３４、４１〜４４、５１〜５８、６１〜６８…ファン、
１０…光学ディスクドライブ、１１…筐体、１２…固定用チャック、
１３…ターンテーブル、１４…モータ、１５…光ピックアップ部、１６…挿入口、
１７…モータ軸、１８…レンズ、１９…通風口、２０…光学ディスクドライブ、
２１…挿入口、２２…光学ディスク、２３…ターンテーブル、２４…モータ、
２５…光ピックアップ部、２６…レンズ、２７、２８、９１〜９４…矢印、
２９…固定用チャック、５０…光学ディスク。
【図１】
2006065951.tif 000003
【図２】
2006065951.tif 000004
【図３】
2006065951.tif 000005
【図４】
2006065951.tif 000006
【図５】
2006065951.tif 000007
【図６】
2006065951.tif 000008
【図７】
2006065951.tif 000009
【図８】
2006065951.tif 000010
【図９】
2006065951.tif 000011